(57)【特許請求の範囲】
【請求項１】
被写体像に重畳して情報を表示する透過型の表示部と、
照明部が前記表示部を照明する場合に、有効撮影範囲の外部領域の少なくとも一部である第１領域における前記被写体像の透過率が低下するように前記第１領域を表示する第１表示状態から、前記外部領域の一部であって前記第１領域より面積の小さい第２領域における前記被写体像の透過率が低下するように前記第２領域を表示する第２表示状態へ変更する表示制御部と
を備え、
前記表示制御部は、測光センサが前記被写体像により測光を実行する場合は、前記照明部による照明を禁止すると共に、前記第２表示状態とするファインダユニット。
【請求項２】
被写体像に重畳して情報を表示する透過型の表示部と、
照明部が前記表示部を照明する場合に、有効撮影範囲の外部領域の少なくとも一部である第１領域における前記被写体像の透過率が低下するように前記第１領域を表示する第１表示状態から、前記外部領域の一部であって前記第１領域より面積の小さい第２領域における前記被写体像の透過率が低下するように前記第２領域を表示する第２表示状態へ変更する表示制御部と
を備え、
前記表示制御部は、測光センサが前記被写体像により測光を実行する場合は、前記照明部による照明を禁止すると共に、前記表示部による表示を禁止するファインダユニット。
【請求項３】
前記表示制御部は、前記照明部による照明の有無に関わらず、焦点検出領域の表示を継続する請求項１または２に記載のファインダユニット。
【請求項４】
前記表示制御部は、前記第２表示状態へ変更する場合には、前記焦点検出領域および前記第２領域の表示以外の前記表示部による表示を禁止する請求項３に記載のファインダユニット。
【請求項５】
前記表示制御部は、前記焦点検出領域が遷移する場合は、前記照明部による照明を禁止する請求項３または４に記載のファインダユニット。
【請求項６】
前記表示制御部は、前記焦点検出領域が遷移する場合は、前記照明部による照明の有無に関わらず、前記第２表示状態とする請求項３から５のいずれか１項に記載のファインダユニット。
【請求項７】
前記表示制御部は、予め定められたタイミングで前記第２表示状態から前記第１表示状態へ変更する請求項１から６のいずれか１項に記載のファインダユニット。
【請求項８】
前記タイミングは、前記照明部が前記表示部の照明を終了するタイミングである請求項７に記載のファインダユニット。
【請求項９】
前記第１領域は、前記有効撮影範囲の外周を含む第１外周枠領域である請求項１から８のいずれか１項に記載のファインダユニット。
【請求項１０】
前記第１領域は、前記外部領域の全体である請求項９に記載のファインダユニット。
【請求項１１】
前記第２領域は、前記有効撮影範囲の外周の複数の角を含む角領域である請求項９または１０に記載のファインダユニット。
【請求項１２】
前記第２領域は、前記外周を含む第２外周枠領域である請求項１１に記載のファインダユニット。
【請求項１３】
前記第１領域は、前記有効撮影範囲の外周を構成する一対の辺を含む第１辺領域である請求項１から８のいずれか１項に記載のファインダユニット。
【請求項１４】
前記第１領域は、前記外部領域の全体である請求項１３に記載のファインダユニット。
【請求項１５】
前記第２領域は、前記有効撮影範囲の外周を構成する一対の辺を含む第２辺領域である請求項１３または１４に記載のファインダユニット。
【請求項１６】
前記表示制御部は、前記第１領域を複数の線または複数のドットで表示することで前記第２領域として表示する請求項１から１５のいずれか１項に記載のファインダユニット。
【請求項１７】
前記照明部を更に備える請求項１から１６のいずれか１項に記載のファインダユニット。
【請求項１８】
ミラー部に反射された被写体光束を結像させるピント板を更に備える請求項１から１７のいずれか１項に記載のファインダユニット。
【請求項１９】
請求項１から１８のいずれか１項に記載のファインダユニットを備える撮像装置。
【請求項２０】
被写体像に重畳して情報を表示する透過型の表示部を備えるファインダユニットの表示制御プログラムであって、
照明部が前記表示部を照明する場合に、有効撮影範囲の外部領域の少なくとも一部である第１領域における前記被写体像の透過率が低下するように前記第１領域を表示する第１表示状態から、前記外部領域の一部であって前記第１領域より面積の小さい第２領域における前記被写体像の透過率が低下するように前記第２領域を表示する第２表示状態へ変更する表示変更ステップと、
測光センサが前記被写体像により測光を実行する場合は、前記照明部による照明を禁止すると共に、前記第２表示状態とする制御ステップと
をファインダユニット制御用コンピュータに実行させる表示制御プログラム。
【請求項２１】
被写体像に重畳して情報を表示する透過型の表示部を備えるファインダユニットの表示制御プログラムであって、
照明部が前記表示部を照明する場合に、有効撮影範囲の外部領域の少なくとも一部である第１領域における前記被写体像の透過率が低下するように前記第１領域を表示する第１表示状態から、前記外部領域の一部であって前記第１領域より面積の小さい第２領域における前記被写体像の透過率が低下するように前記第２領域を表示する第２表示状態へ変更する表示変更ステップと、
測光センサが前記被写体像により測光を実行する場合は、前記照明部による照明を禁止すると共に、前記表示部による表示を禁止する制御ステップと
をファインダユニット制御用コンピュータに実行させる表示制御プログラム。
【発明の詳細な説明】
【技術分野】
【０００１】
本発明は、ファインダユニット、撮像装置および表示制御プログラムに関する。
【背景技術】
【０００２】
光の透過および散乱を切換可能な高分子分散液晶を用いる透過型表示装置を結像面近傍に配置し、ＡＦエリアに対応する表示セグメントを散乱状態にして被写体光学像にＡＦエリアを重畳表示する光学ファインダを備えるカメラが知られている。
［先行技術文献］
［特許文献］
［特許文献１］特開２０００−１６２６９５号公報
【発明の概要】
【発明が解決しようとする課題】
【０００３】
撮像素子の有効画素領域の一部を撮影範囲として設定する場合がある。このとき、撮影範囲の外部領域全体をフォーカスエリアとともに被写体光学像に重畳表示して、照明光を透過型表示装置に導光すると、フォーカスエリアとともに撮影範囲の外部領域全体も発光する。すると、相対的に面積の大きな外部領域の照明光が支配的となり、視認性が著しく低下するという課題があった。
【課題を解決するための手段】
【０００４】
本発明の第１の態様におけるファインダユニットは、被写体像に重畳して情報を表示する透過型の表示部と、照明部が表示部を照明する場合に、有効撮影範囲の外部領域の少なくとも一部である第１領域における被写体像の透過率が低下するように第１領域を表示する第１表示状態から、外部領域の一部であって第１領域より面積の小さい第２領域における被写体像の透過率が低下するように第２領域を表示する第２表示状態へ変更する表示制御部とを備える。
【０００５】
本発明の第２の態様における撮像装置は、上述のファインダユニットを備える。
【０００６】
本発明の第３の態様における表示制御プログラムは、被写体像に重畳して情報を表示する透過型の表示部を備えるファインダユニットの表示制御プログラムであって、照明部が表示部を照明する場合に、有効撮影範囲の外部領域の少なくとも一部である第１領域における被写体像の透過率が低下するように第１領域を表示する第１表示状態から、外部領域の一部であって第１領域より面積の小さい第２領域における被写体像の透過率が低下するように第２領域を表示する第２表示状態へ変更する表示変更ステップをコンピュータに実行させる。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係る一眼レフカメラの要部断面図である。
【図２】本実施形態に係るファインダユニットを構成する部品の分解斜視図である。
【図３】本実施形態に係る一眼レフカメラのシステム構成を概略的に示すブロック図である。
【図４】透過型表示パネルの表示制御処理を説明する図である。
【図５】透過型表示パネルの表示制御処理の第１変形例を説明する図である。
【図６】透過型表示パネルの表示制御処理の第２変形例を説明する図である。
【図７】本実施形態における透過型表示パネルの表示制御を示すフロー図である。
【図８】透過型表示パネルの表示制御処理の第３変形例を説明する図である。
【図９】透過型表示パネルの表示制御処理の第４変形例を説明する図である。
【図１０】第２表示状態の表示態様の変形例を説明する図である。
【図１１】透過型表示パネルの表示制御処理の第５変形例を説明する図である。
【図１２】透過型表示パネルの表示制御処理の第６変形例を説明する図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る一眼レフカメラ１０の要部断面図である。一眼レフカメラ１０は、レンズユニット２０とカメラ本体３０が組み合わされて撮像装置として機能する。また、カメラ本体３０には、ファインダユニット４０が組み込まれている。
【００１１】
レンズユニット２０は、光軸１１に沿って配列されたレンズ群２１を備える。レンズ群２１は、入射される被写体光束をカメラ本体３０へ導く。レンズ群２１には、フォーカスレンズ２３、ズームレンズ２２等が含まれ、焦点調整、画角調整の指示に応じて光軸方向に移動できるように構成されている。レンズユニット２０は、カメラ本体３０との接続部にレンズマウント２４を備え、カメラ本体３０が備えるカメラマウント３１と係合して、カメラ本体３０と一体化する。
【００１２】
カメラ本体３０は、レンズユニット２０から入射される被写体光束を反射するメインミラー３２を備える。メインミラー３２は、回転軸３３周りに回動して、光軸１１を中心とする被写体光束中に斜設される斜設状態と、被写体光束から退避する退避状態を取り得る。ファインダユニット４０側へ被写体像を導く場合には、メインミラー３２は斜設状態を取る。撮像素子５２側へ被写体像を導く場合には、メインミラー３２は退避状態を取る。
【００１３】
ファインダユニット４０は、ピント板４１、透過型表示パネル４２、ペンタプリズム４３、接眼光学系４４、ファインダ窓４５、測光センサ４６を備える。ピント板４１は、撮像素子５２の受光面と共役の位置に配置されている。ピント板４１で一次結像した被写体の光学像は、透過型表示パネル４２を透過してペンタプリズム４３で正立像に変換される。そして、正立像に変換された被写体光学像は、接眼光学系４４、ファインダ窓４５を介してユーザに観察される。ペンタプリズム４３の射出面上方に配置された測光センサ４６は、ペンタプリズム４３からの被写体光学像により被写体の明るさを検知する。
【００１４】
ピント板４１とペンタプリズム４３の間、すなわち被写体光束の一次結像面近傍には、透過型の表示部としての透過型表示パネル４２が配置される。透過型表示パネル４２の一例として、高分子分散液晶（ＰＮ液晶）が挙げられる。本実施形態では、透過型表示パネル４２をピント板４１の上面側に設けたが、透過型表示パネル４２を設ける位置は一次結像面の近傍であればよく、ピント板４１の下面側に設けても良い。
【００１５】
透過型表示パネル４２は、情報の非表示状態においては被写体光学像を透過する。一方、情報の表示状態においては、透過型表示パネル４２は、ピント板４１に結像された被写体光学像に重畳して情報を表示する。例えば、焦点検出領域に対応して設けられたセグメントの液晶が拡散状態になり、特定の表示パターンが被写体光学像に重なって視認可能となる。具体的には、情報としての表示パターンが、被写体光学像に重畳され、ペンタプリズム４３を介してユーザ側に導かれる。表示する情報としては、焦点検出領域以外にも、後述する有効撮影範囲の外部領域、外部領域の一部であって有効撮影範囲の外周を含む外周枠領域、水平垂直の指標となる水準器インジケータなどが挙げられる。
【００１６】
斜設状態におけるメインミラー３２の光軸１１の近傍領域は、ハーフミラーとして形成されており、入射される被写体光束の一部が透過する。透過した被写体光束は、メインミラー３２と連動して回動するサブミラー３４で反射されて、ＡＦ光学系３５へ導かれる。ＡＦ光学系３５を通過した被写体光束は、ＡＦセンサ３６へ入射される。
【００１７】
ＡＦセンサ３６は、例えば、受光した被写体光束から位相差信号を出力する複数の光電変換素子列である。具体的には、ＡＦセンサ３６は、光学像の特定の領域に対応して設けられる複数の焦点調整領域のそれぞれにおいて、合焦状態、前ピン状態、後ピン状態を検出できる。前ピン状態、後ピン状態の場合には、ＡＦセンサ３６は合焦状態からのずれ量も検出できる。なお、サブミラー３４は、メインミラー３２が被写体光束から退避する場合は、メインミラー３２に連動して被写体光束から退避する。
【００１８】
斜設されたメインミラー３２の後方には、光軸１１に沿って、フォーカルプレーンシャッタ５１、撮像素子５２が配列されている。フォーカルプレーンシャッタ５１は、撮像素子５２へ被写体光束を導くときに開放状態を取り、その他のときに遮蔽状態を取る。撮像素子５２は、例えばＣＣＤ、ＣＭＯＳセンサなどの光電変換素子であり、受光面で結像した被写体の光学像を電気信号に変換する。
【００１９】
撮像素子５２で光電変換された電気信号は、メイン基板５３に搭載されたＤＳＰである画像処理部５４で画像データに処理される。メイン基板５３には、画像処理部５４の他に、カメラ本体３０のシステムを統合的に制御するＭＰＵであるカメラシステム制御部５５が搭載されている。カメラシステム制御部５５は、カメラシーケンスを管理すると共に、各構成要素の入出力処理等を行う。
【００２０】
カメラ本体３０の背面には液晶モニタ等による背面表示部５６が配設されており、メイン基板５３上の画像処理部５４で処理された被写体画像が表示される。背面表示部５６は、撮影後の静止画像に限らず、ビューファインダとしてのＥＶＦ画像、各種メニュー情報、撮影情報等を表示する。
【００２１】
傾斜センサ５７は、カメラ本体３０の傾斜角を検出する。傾斜センサ５７は、例えば３軸加速度センサを用いることができる。カメラ本体３０には、着脱可能な二次電池５８が収容され、カメラ本体３０に限らず、レンズユニット２０にも電力を供給する。
【００２２】
図２は、本実施形態に係るファインダユニット４０を構成する部品の分解斜視図である。ファインダユニット４０は、図１で示した部品以外に、ペンタボックス６１、閉塞板６５、ペンタ基板６６、ライトガイド６７およびＬＥＤ６８を備える。なお、図２において、図１で示した接眼光学系４４、ファインダ窓４５および測光センサ４６は省略する。また、図２において、カメラ本体３０内でのファインダユニット４０を構成する部品の位置関係を明確にするために、ファインダユニット４０以外に、カメラマウント３１およびメインミラー３２を示す。
【００２３】
ペンタボックス６１は、ペンタプリズム４３を収容して支持する支持部材である。ペンタボックス６１自体は、カメラ本体３０の前板に固定される。ペンタボックス６１は、図２に示すように、被写体光束をペンタプリズム４３へ入射させる入射開口部６３と、ペンタプリズム４３が射出する被写体光束をユーザへ導く射出開口部６４を備える。
【００２４】
透過型表示パネル４２は、ペンタボックス６１のうち、メインミラー３２に対して被写体光束が入射する側の側面に設けられた穴部６２に挿入されて組み込まれ、ペンタボックス６１に支持される。このとき、穴部６２と透過型表示パネル４２の隙間からペンタボックス６１内へ進入する迷光および塵埃を遮断すべく、閉塞板６５が、透過型表示パネル４２が挿入された穴部６２を閉塞する。
【００２５】
ペンタ基板６６は、ペンタプリズム４３のうちペンタボックス６１に支持される面の側（ピント板４１に対向する入射面側）とは反対側の上面に隣接して配置される。ペンタ基板６６にはさまざまな回路が集積されている。また、透過型表示パネル４２はペンタ基板６６に電気的に接続される。
【００２６】
ライトガイド６７は、ペンタボックス６１のうち、入射開口部６３と射出開口部６４が設けられた両面に直交する側面に配設される。ライトガイド６７は、透過型表示パネル４２の側面へ、照明部としてのＬＥＤ６８の照明光を入射させる。透過型表示パネル４２へ入射された照明光は、拡散状態にある液晶領域で拡散され、ユーザに視認される。
【００２７】
なお、透過型表示パネル４２の特定の液晶領域の拡散状態を、特定の表示領域のオン状態と称し、透過型表示パネル４２の特定の液晶領域の非拡散状態を、特定の表示領域のオフ状態と称する。また、透過型表示パネル４２の特定の液晶領域を拡散状態にすることを、特定の表示領域をオンにすると称し、透過型表示パネル４２の特定の液晶領域を非拡散状態にすることを、特定の表示領域をオフにすると称する。
【００２８】
図３は、本実施形態に係る一眼レフカメラ１０のシステム構成を概略的に示すブロック図である。一眼レフカメラ１０は、レンズユニット２０とカメラ本体３０のそれぞれに対応して、レンズシステム制御部１２０を中心とするレンズ制御系と、カメラシステム制御部５５を中心とするカメラ制御系により構成される。そして、レンズ制御系とカメラ制御系は、レンズマウント２４とカメラマウント３１によって接続される接続部を介して、相互に各種データ、制御信号の授受を行う。
【００２９】
レンズ制御系には、レンズメモリ１２１およびモータ駆動回路１２２が含まれる。レンズメモリ１２１は、電気的に消去・記録可能な不揮発性メモリであり、例えばＥＥＰＲＯＭ（登録商標）等により構成される。レンズメモリ１２１は、レンズユニット２０の動作時に必要な定数、変数、プログラム等を、レンズユニット２０の非動作時にも失われないように記録している。レンズシステム制御部１２０は、モータ駆動回路１２２を介して、ズームレンズ２２を移動させるモータおよびフォーカスレンズ２３を移動させるモータを制御する。
【００３０】
カメラ制御系に含まれる画像処理部５４は、カメラシステム制御部５５からの指令に則して、撮像素子５２で光電変換された撮像信号を、規格化された画像フォーマットに従った画像データに処理する。例えば、静止画像としてＪＰＥＧファイルを生成する場合は、色変換処理、ガンマ処理、ホワイトバランス処理等の画像処理を行った後に適応離散コサイン変換等を施して圧縮処理をする。また、動画像としてＭＰＥＧファイルを生成する場合は、所定の画素数に縮小して生成した連続する静止画としてのフレーム画像に対して、フレーム内符号化、フレーム間符号化を施して圧縮処理をする。
【００３１】
本実施形態において、撮像素子５２の画素群のうち撮像すべき画素範囲である撮像範囲として２つの画素範囲が予め規定されている。第１の範囲は、撮像素子５２の有効画素領域の画素範囲である。本実施形態において、撮像素子５２の有効画素領域の画素範囲は、３５ｍｍ版フィルムのサイズと同程度の３６ｍｍ×２４ｍｍ、対角線長約４３ｍｍである。この有効画素領域の画素範囲をＦＸサイズと表す。第２の撮像範囲は、ＦＸサイズより小さいＡＰＳ版フィルムのＣサイズと同程度の２４ｍｍ×１６ｍｍ、対角線長約２９ｍｍで構成される画素範囲である。この画素範囲をＤＸサイズと表す。
【００３２】
ユーザは、ＦＸサイズおよびＤＸサイズのうちの一つを撮像範囲として選択することができる。ＦＸサイズが選択された場合には、撮像素子５２は、有効画素領域全体の被写体像を光電変換し、画像処理部５４は、有効画素領域全体に対応する画像データを生成する。
【００３３】
ＤＸサイズが選択された場合には、撮像素子５２は、有効画素領域のうちＤＸサイズに対応する領域の被写体像を出力し、画像処理部５４は、ＤＸサイズに対応する領域に相当する画像データを生成する。また、撮像素子５２は有効画素領域全体の被写体像を出力し、画像処理部５４は、有効画素領域のうちＤＸサイズに対応する領域の画像データをクロップするようにしてもよい。
【００３４】
カメラメモリ１３１は、電気的に消去・記録可能な不揮発性メモリであり、例えばＥＥＰＲＯＭ（登録商標）等により構成される。カメラメモリ１３１は、一眼レフカメラ１０の動作時に必要な定数、変数、プログラム等を、一眼レフカメラ１０の非動作時にも失われないように記録している。ワークメモリ１３２は、例えばＲＡＭなどの高速アクセスできるメモリであり、処理中の画像データを一時的に保管する役割などを担う。
【００３５】
背面表示制御部１３３は、カメラシステム制御部５５の指示に従って、背面表示部５６に各種情報を表示させるべく表示制御を実行する。例えば、背面表示制御部１３３は、画像処理部５４によって生成された撮影画像表示データ、カメラメモリ１３１に記憶されているメニュー項目を背面表示部５６に表示させる。
【００３６】
ファインダ表示制御部１３４は、カメラシステム制御部５５の指示に従って、透過型表示パネル４２に各種情報を表示させるべく表示制御を実行する。例えば、ファインダ表示制御部１３４は、焦点検出領域、有効撮影範囲の外部領域、有効撮影範囲の外周枠領域、水平垂直の指標となる水準器インジケータを透過型表示パネル４２に表示させる。本実施形態において、ファインダ表示制御部１３４は、ファインダユニット４０のペンタ基板６６に搭載される。
【００３７】
操作検知部１３５は、カメラ本体３０に設けられた十字キー、決定ボタン等の操作部材が操作されたことを検知し、検知結果をカメラシステム制御部５５へ出力する。操作部材には、押下げ方向に２段階に検知できる押しボタンで構成されるレリーズスイッチが含まれる。カメラシステム制御部５５は、レリーズスイッチの１段階目の押下げであるＳＷ１のオンを検知することにより撮影準備動作であるＡＦ制御、ＡＥ制御等を実行する。そして、カメラシステム制御部５５は、レリーズスイッチの２段階目の押下げであるＳＷ２のオンを検知することにより撮像素子５２による被写体像の取得動作を実行する。
【００３８】
測光センサ４６は、被写体光学像により被写体の明るさを検知し、測光データをカメラシステム制御部５５へ出力する。カメラシステム制御部５５は、測光センサ４６の測光データを解析して露出値を算出する。
【００３９】
ＡＦセンサ３６は、位相差信号をカメラシステム制御部５５へ出力する。カメラシステム制御部５５は、レンズシステム制御部１２０およびモータ駆動回路１２２と協働して、ＡＦセンサ３６の出力に応じたＡＦ制御を実行する。カメラシステム制御部５５は、ＡＦセンサ３６の位相差信号からフォーカスレンズ２３の駆動量を算出する。そして、カメラシステム制御部５５は、フォーカスレンズ２３の駆動量を示す駆動制御信号をレンズシステム制御部１２０へ出力する。
【００４０】
カメラシステム制御部５５は、レリーズボタンのＳＷ１のオンが継続している間に、ピントが合った時点でＡＦをロックするシングルＡＦ制御を実行する。あるいは、カメラシステム制御部５５は、レリーズボタンのＳＷ１のオンが継続している間、被写体の動きに対してピントを合わせ続けるコンティニュアスＡＦ制御を実行する。ユーザは、操作部材を操作して、シングルＡＦ制御またはコンティニュアスＡＦ制御を選択することができる。
【００４１】
傾斜センサ５７は、カメラ本体３０の傾斜角を検出し、傾斜角データをカメラシステム制御部５５へ出力する。カメラシステム制御部５５は、傾斜センサ５７の傾斜データからカメラ本体３０の姿勢を算出する。
【００４２】
図４は、透過型表示パネル４２の表示制御処理を説明する図である。図４（ａ）は、ＦＸサイズが撮像範囲として選択された場合のファインダ窓４５から観察される被写体光学像の表示例である。ファインダユニット４０の視野率が１００％である場合、ＦＸサイズの被写体光学像の範囲とファインダ窓４５から観察される被写体光学像の範囲とが一致する。
【００４３】
ファインダ表示制御部１３４は、カメラシステム制御部５５のＡＦ制御が完了した場合に、ＡＦ制御によって合焦された領域を示す焦点検出領域２０１に対応する表示領域をオンにする。図４（ａ）に示すように、透過型表示パネル４２においてオンにした表示領域では、焦点検出領域２０１における被写体光学像の透過率が低下し、焦点検出領域２０１は他の領域の被写体光学像より暗く視認される。したがって、ユーザは合焦領域を容易に把握することができる。
【００４４】
ＤＸサイズが撮像範囲として選択された場合であっても、ファインダ窓４５から観察される被写体光学像の範囲は、ＦＸサイズを基準にした視野率に応じた範囲となる。そこで、ファインダ表示制御部１３４は、ファインダ窓４５から観察される被写体光学像を、ＤＸサイズにおける被写体光学像とそれ以外の被写体光学像とに区別できるように透過型表示パネル４２を制御する。
【００４５】
図４（ｂ）は、ＤＸサイズが撮像範囲として選択された場合のファインダ窓４５から観察される被写体光学像の第１の表示例である。ファインダ表示制御部１３４は、ＤＸサイズにおける被写体光学像の範囲である有効撮影範囲２０２の外部領域２０３全体に対応する表示領域をオンにする。外部領域２０３全体における被写体光学像の透過率は低下し、外部領域２０３は有効撮影範囲２０２における被写体光学像より暗く視認される。したがって、ユーザはＤＸサイズでの撮影範囲を容易に把握することができる。なお、本実施形態において、外部領域２０３全体における被写体光学像の透過率が低下するように、外部領域２０３全体に対応する表示領域をオンにした状態を第１表示状態という。
【００４６】
また、ファインダ表示制御部１３４は、図４（ａ）と同様に、カメラシステム制御部５５のＡＦ制御が完了した場合に、ＡＦ制御によって合焦された領域を示す焦点検出領域２０１に対応する表示領域をオンにする。図４（ｂ）に示すように、焦点検出領域２０１における被写体光学像の透過率が低下し、焦点検出領域２０１は他の有効撮影範囲２０２の被写体光学像より暗く視認される。したがって、ユーザは合焦領域を容易に把握することができる。
【００４７】
レリーズスイッチのＳＷ１がオンになった場合など、ＬＥＤ６８による透過型表示パネル４２の照明を行って焦点検出領域２０１を発光させたい場合がある。しかしながら、図４（ｂ）のように、外部領域２０３全体に対応する表示領域がオンになった透過型表示パネル４２をＬＥＤ６８が照明すると、焦点検出領域２０１だけでなく外部領域２０３全体も発光してしまう。そのため、相対的に面積の大きな外部領域２０３の照明光が支配的となり、視認性が著しく低下する。また、上述のとおり、ＬＥＤ６８の照明光は、ライトガイド６７により、透過型表示パネル４２の側面から導入されて、透過型表示パネル４２全体に拡散していく。そのため、透過型表示パネル４２におけるＬＥＤ６８の照明光の強度分布は不均一となる。これにより、外部領域２０３全体の照明面にムラが表れ、ファインダ窓４５から観察される画像の品位が悪化する。
【００４８】
そこで、ファインダ表示制御部１３４は、ＬＥＤ６８が透過型表示パネル４２を照明する場合に、透過型表示パネル４２の表示状態を上述の第１表示状態から変更する。ＬＥＤ６８が透過型表示パネル４２を照明する場合における表示状態について図４（ｃ）を用いて説明する。
【００４９】
図４（ｃ）は、ＤＸサイズが撮像範囲として選択された場合のファインダ窓４５から観察される被写体光学像の第２の表示例である。ファインダ表示制御部１３４は、外部領域２０３の全体の代わりに外部領域２０３の一部であって有効撮影範囲２０２の外周を含む外周枠領域２０４に対応する表示領域をオンにする。外周枠領域２０４における被写体光学像の透過率は低下し、外周枠領域２０４は、有効撮影範囲２０２における被写体光学像より暗く視認される。
【００５０】
一方、外部領域２０３のうち外周枠領域２０４以外の領域である枠外領域２０５に対応する表示領域はオフにされる。そのため、枠外領域２０５における被写体光学像の透過率は有効撮影範囲２０２における被写体光学像の透過率と同等である。なお、カメラシステム制御部５５のＡＦ制御が完了後において、ファインダ表示制御部１３４は、表示状態が切り替わっても、ＡＦ制御によって合焦された領域を示す焦点検出領域２０１の表示を継続する。
【００５１】
この表示状態でＬＥＤ６８が透過型表示パネル４２を照明すると、焦点検出領域２０１および外周枠領域２０４が発光する。外周枠領域２０４の面積と焦点検出領域２０１の面積との差は、外部領域２０３の面積と焦点検出領域２０１の面積との差より小さい。したがって、外周枠領域２０４の照明光と焦点検出領域２０１の照明光との差は、外部領域２０３全体の照明光と焦点検出領域２０１の照明光との差より小さくなり、第１表示状態でＬＥＤ６８による照明を行った場合に比べ視認性が良い。そのため、ユーザは、第１表示状態でＬＥＤ６８による照明を行った場合に比べ、合焦位置、撮影可能範囲を容易に確認することができる。
【００５２】
また、外周枠領域２０４の照明面のムラは外部領域２０３より少なく、ユーザは、第１表示状態でＬＥＤ６８による照明を行った場合に比べ、ファインダ窓４５から画像を確認し易い。なお、本実施形態において、外周枠領域２０４における被写体光学像の透過率が低下するように、外周枠領域２０４に対応する表示領域をオンにした状態を第２表示状態という。
【００５３】
有効撮影範囲２０２における被写体光学像とともに枠外領域２０５における被写体光学像が視認される。有効撮影範囲２０２における被写体光学像と枠外領域２０５における被写体光学像とに挟まれている外周枠領域２０４を発光させない場合には、外周枠領域２０４が目立たなくなってしまう。そのため、ＬＥＤ６８が透過型表示パネル４２を照明しない場合において透過型表示パネル４２の表示状態を第２表示状態にすると、ユーザは、枠外領域２０５の外周、すなわちＦＸサイズでの被写体光学像の範囲を撮影可能範囲と誤認してしまうことがある。
【００５４】
そこで、ファインダ表示制御部１３４は、ＬＥＤ６８が透過型表示パネル４２を照明していない場合には透過型表示パネル４２の表示状態を第１表示状態にする。そして、ファインダ表示制御部１３４は、ＬＥＤ６８が透過型表示パネル４２を照明する場合に、透過型表示パネル４２の表示状態を第２表示状態へ変更する。このようにＬＥＤ６８による照明の有無で透過型表示パネル４２の表示状態を変更することにより、ユーザはどちらの状況であっても合焦領域および撮影可能範囲を容易に確認することができる。なお、ファインダ表示制御部１３４は、図４（ｂ）、（ｃ）に示すとおり、ＬＥＤ６８による照明の有無に関わらず、焦点検出領域２０１に対応する表示領域をオン状態のまま継続する。
【００５５】
図５は、透過型表示パネル４２の表示制御処理の第１変形例を説明する図である。第１変形例では、上述した焦点検出領域、外部領域、外周枠領域以外の表示パターンである水準器インジケータを被写体光学像に重畳する表示制御処理を示す。
【００５６】
ＬＥＤ６８による照明が行われていない場合に、透過型表示パネル４２のファインダ表示制御部１３４は、図５（ａ）に示すとおり、焦点検出領域２０１、外部領域２０３と共に、水準器インジケータ３００に対応する表示領域をオンにする。水準器インジケータ３００は、水平垂直の指標であり、光軸１１周りのカメラ本体３０の傾きを示す。水準器インジケータ３００は、有効撮影範囲２０２内に配置される。ファインダ表示制御部１３４は、カメラシステム制御部５５が傾斜センサ５７の傾斜データから算出したカメラ本体３０の姿勢に対応する水準器インジケータ３００を透過型表示パネル４２に表示させる。
【００５７】
ＬＥＤ６８による照明が行われる場合に、ファインダ表示制御部１３４は、外部領域２０３および水準器インジケータ３００に対応する表示領域をオフにする。そして、ファインダ表示制御部１３４は、外周枠領域２０４に対応する表示領域を焦点検出領域２０１の表示領域とともにオンにして、図５（ｂ）の表示状態に切り替える。このように水準器インジケータ３００の発光を阻止することにより、ユーザは合焦領域および撮影可能範囲を容易に確認することができる。
【００５８】
なお、第１変形例では、上述した焦点検出領域、外部領域、外周枠領域以外の表示パターンとして水準器インジケータを用いたがこれに限らない。ファインダ表示制御部１３４は、ＬＥＤ６８による照明が行われない場合に、カメラシステム制御部５５が算出した露出値に対応する絞り値、シャッタ速度、二次電池５８の充電状態等の表示パターンに対応する表示領域をオンにしてもよい。そして、ＬＥＤ６８による照明が行われる場合に、ファインダ表示制御部１３４は、これら表示パターンに対応する表示領域をオフにする。
【００５９】
図６は、透過型表示パネル４２の表示制御処理の第２変形例を説明する図である。第２変形例では、カメラシステム制御部５５がコンティニュアスＡＦ制御を実行する場合の透過型表示パネル４２の表示制御処理を示す。コンティニュアスＡＦが選択されている場合、ファインダ表示制御部１３４は、透過型表示パネル４２の表示状態を上述の第２表示状態にする。
【００６０】
本実施形態において、図５に示すとおり、第１焦点検出領域４０１、第２焦点検出領域４０２、第３焦点検出領域４０３、第４焦点検出領域４０４および第５焦点検出領域４０５の５つの焦点検出領域が割り当てられている。そして、ファインダ表示制御部１３４は、合焦された焦点検出領域に対応する表示領域のみをオンにし、それ以外の焦点検出領域に対応する表示領域をオフにする。図５（ａ）において、ファインダ表示制御部１３４は、第３焦点検出領域４０３に対応する表示領域のみオンにする。
【００６１】
コンティニュアスＡＦ制御が実行されると、被写体の移動に伴い合焦される焦点検出領域は遷移する。被写体が図５（ａ）の状態から図５（ｂ）の状態に移動すると、合焦される焦点検出領域は、第３焦点検出領域から第４焦点検出領域に遷移する。そこで、ファインダ表示制御部１３４は、図５（ｂ）に示すように、透過型表示パネル４２においてオンとなる表示領域を、第３焦点検出領域に対応する表示領域から第４焦点検出領域に対応する表示領域に遷移する。
【００６２】
コンティニュアスＡＦ制御の実行中において、カメラシステム制御部５５は、ＬＥＤ６８による照明を禁止してもよい。あるいは、遷移後の焦点検出領域を強調することを目的として、カメラシステム制御部５５は、ある焦点検出領域で合焦されてから予め定められた期間、例えば１秒間経過するまで、ＬＥＤ６８による照明を行って当該焦点検出領域を発光させてもよい。
【００６３】
ＬＥＤ６８による照明を行う場合、ＬＥＤ６８の照明の有無に応じて上述の第１表示状態と第２表示状態を切り替えると、合焦される焦点検出領域の遷移の状況によっては、表示が頻繁に切り替わり、ユーザが視認し難くなることがある。そこで、ファインダ表示制御部１３４は、コンティニュアスＡＦ制御が実行されている場合には、ＬＥＤ６８による照明の有無に関わらず、透過型表示パネル４２の表示状態を第２表示状態に固定する。
【００６４】
図７は、本実施形態における透過型表示パネル４２の表示制御処理を示すフロー図である。本フローの処理は、ＤＸサイズが撮像範囲として選択されている場合に実行される。本フローは、例えば、カメラ本体３０の電源がオンにされたときに開始される。本実施形態において、ファインダ表示制御部１３４がカメラシステム制御部５５等と協働して本フローの処理を実行する。
【００６５】
ステップＳ１０１では、カメラシステム制御部５５は、コンティニュアスＡＦが選択されているか否かを判断する。シングルＡＦ制御が選択されている場合にはステップＳ１０２へ移行し、コンティニュアスＡＦが選択されている場合にはステップＳ１１５へ移行する。
【００６６】
ステップＳ１０２では、ファインダ表示制御部１３４は、有効撮影範囲の外部領域全体に対応する表示領域をオンにし、透過型表示パネル４２を第１表示状態にする。ステップＳ１０３では、カメラシステム制御部５５は、レリーズスイッチのＳＷ１がオンになったか否かを検知する。ＳＷ１がオンになるまでステップＳ１０３で待機し、ＳＷ１のオンになった場合、ステップＳ１０４へ移行する。
【００６７】
ステップＳ１０４では、カメラシステム制御部５５は、レンズシステム制御部１２０およびモータ駆動回路１２２と協働して、ＡＦセンサ３６の位相差信号に応じてシングルＡＦ制御を実行する。シングルＡＦ制御が完了すると、ファインダ表示制御部１３４は、合焦された焦点検出領域に対応する表示領域を、外部領域全体に対応する表示領域とともにオンにする。
【００６８】
ステップＳ１０５では、カメラシステム制御部５５は、測光センサ４６の測光データを取得して露出値を決定する。なお、ステップＳ１０５の段階でＬＥＤ６８を照明すると、ＬＥＤ６８の照明光の影響により、測光センサ４６に到達する被写体光学像の明るさがピント板４１での被写体光学像の明るさと異なってしまう。そこで、カメラシステム制御部５５は、ステップＳ１０５の測光処理において、ＬＥＤ６８による照明を禁止する。
【００６９】
ステップＳ１０６では、ファインダ表示制御部１３４は、外部領域全体に対応する表示領域をオフにする。そして、ファインダ表示制御部１３４は、外部領域の一部であって有効撮影範囲の外周を含む外周枠領域に対応する表示領域をオンにして、透過型表示パネル４２の表示状態を第２表示状態へ変更する。なお、ファインダ表示制御部１３４は、焦点検出領域に対応する表示領域のオン状態を継続する。
【００７０】
ステップＳ１０７では、カメラシステム制御部５５は、タイマーｔを０に設定して計時を開始する。ステップＳ１０８では、カメラシステム制御部５５は、ＬＥＤ６８を駆動して、透過型表示パネル４２を照明する。ＬＥＤ６８の照明光はライトガイド６７を介して透過型表示パネル４２へ入射し、焦点検出領域および外周枠領域が発光する。ステップＳ１０９では、カメラシステム制御部５５は、ｔが予め定められた時間ｔ０、例えば１秒を超えたか否かを判断する。ｔがｔ０を超えるまでステップＳ１０９で待機し、ｔがｔ０を超えた場合、ステップＳ１１０へ移行する。
【００７１】
ステップＳ１１０では、カメラシステム制御部５５は、ＬＥＤ６８の駆動を停止してＬＥＤ６８による照明を終了させる。ステップＳ１１１では、ファインダ表示制御部１３４は、外周枠領域に対応する表示領域をオフにする。そして、ファインダ表示制御部１３４は、外部領域に対応する表示領域をオンにして、透過型表示パネル４２の表示状態を第１表示状態に戻す。なお、ファインダ表示制御部１３４は、焦点検出領域に対応する表示領域のオン状態を継続する。
【００７２】
ステップＳ１１２では、カメラシステム制御部５５は、レリーズスイッチのＳＷ２がオンになったか否かを検知する。ＳＷ２がオンになるまでステップＳ１１２で待機し、ＳＷ２のオンを検知した場合にステップＳ１１３に移行する。なお、ＳＷ１のオンを検知してから一定時間内、例えば５秒以内にＳＷ２のオンを検知しなかった場合にはステップＳ１１４へ移行する。
【００７３】
ステップＳ１１３では、カメラシステム制御部５５および画像処理部５４は、撮影処理を実行する。具体的には、カメラシステム制御部５５は、ステップＳ１０５で決定した露出値に応じてＡＥ制御を実行する。画像処理部５４は、撮像素子５２の出力を規格化された画像フォーマットの画像データに変換する。ステップＳ１１４では、カメラシステム制御部５５は、ユーザによる撮影終了の操作、例えば電源オフ操作がなされたか否かを判断する。撮影終了の操作がなされていない場合にはステップＳ１０１へ戻り、撮影終了の操作がなされた場合には本フローを終了する。
【００７４】
一方、コンティニュアスＡＦが選択されている場合、ステップＳ１１５では、ファインダ表示制御部１３４は、有効撮影範囲の外部領域の一部であって有効撮影範囲の外周を含む外周枠領域に対応する表示領域をオンにして、透過型表示パネル４２の表示状態を第２表示状態にする。ステップＳ１１６では、カメラシステム制御部５５は、レリーズスイッチのＳＷ１がオンになったか否かを検知する。ＳＷ１がオンになるまでステップＳ１１６で待機し、ＳＷ１のオンになった場合、ステップＳ１１７へ移行する。
【００７５】
ステップＳ１１７では、カメラシステム制御部５５は、ＡＦセンサ３６の位相差信号に応じて、コンティニュアスＡＦ制御を開始する。ステップＳ１１８では、ファインダ表示制御部１３４は、図６を用いて説明したように、被写体の移動にあわせて、合焦される焦点検出領域の表示を遷移させる。ステップＳ１１９では、カメラシステム制御部５５は、測光センサ４６が検知した測光データを取得し、測光データに応じて露出値を決定する。ステップＳ１２０では、カメラシステム制御部５５は、レリーズスイッチのＳＷ２がオンになったか否かを検知する。ＳＷ２がオンでない場合にはステップＳ１１８へ戻り、ＳＷ２がオンになった場合にステップＳ１２１へ移行する。
【００７６】
ステップＳ１２１では、カメラシステム制御部５５および画像処理部５４は、ステップＳ１１３と同様の撮影処理を実行する。ステップＳ１２２では、カメラシステム制御部５５は、レリーズスイッチのＳＷ１がオフになったか否かを判断する。ＳＷ１がオンのまま継続されている場合にはステップＳ１１８へ戻り、ＳＷ１がオフになった場合にはステップＳ１１４へ移行する。
【００７７】
上述のステップＳ１０５またはステップＳ１０９の測光処理では、測光センサ４６に到達する被写体光学像の明るさがピント板４１での被写体光学像の明るさに近いほど測光の精度が高くなる。透過型表示パネル４２で重畳される表示パターンは測光センサ４６に到達する被写体光学像の明るさに影響を与える。
【００７８】
そこで、ステップＳ１０５において、ファインダ表示制御部１３４は、透過型表示パネル４２の表示状態を、第１表示状態より表示パターンの面積の少ない第２表示状態に変更してもよい。また、上述のステップＳ１０５またはＳ１１９の測光処理において、ファインダ表示制御部１３４は、透過型表示パネル４２の表示領域をすべてオフにしてもよい。なお、測光処理が完了した場合に、ファインダ表示制御部１３４は、透過型表示パネル４２の表示状態を測光処理の前の状態に戻す。
【００７９】
上述のステップＳ１０６からＳ１１０において、常に第２表示状態に切り替えて焦点検出領域を発光させたが、ファインダ窓４５で観察される画像が明るい場合には焦点検出領域を発光させなくてもユーザは焦点検出領域を把握できる。そこで、ステップＳ１０６からステップＳ１１０において、ファインダ表示制御部１３４は、ステップＳ１０５の測光処理の結果に応じて、透過型表示パネル４２の表示状態を第２表示状態へ変更してもよい。
【００８０】
具体的には、まず、ステップＳ１０６において、カメラシステム制御部５５は、ステップＳ１０５で算出した露出値からＥＶ値を決定する。そして、ファインダ表示制御部１３４は、ＥＶ値が予め定められた閾値以上であるか否かを判断する。閾値として、ユーザが第１表示状態で焦点検出領域を容易に視認できるＥＶ値を実験的またはシミュレーション的に予め規定される。
【００８１】
ファインダ表示制御部１３４は、ＥＶ値が閾値未満であれば、透過型表示パネル４２の表示状態を、第１表示状態から第２表示状態へ変更する。そして、上述のステップＳ１０７からＳ１１０において、ファインダ表示制御部１３４は、焦点検出領域および外周枠領域を発光させる。一方、ファインダ表示制御部１３４は、ＥＶ値が閾値以上であれば、透過型表示パネル４２の表示状態を第１表示状態のまま維持し、焦点検出領域の発光を行わずステップＳ１１２へ移行する。
【００８２】
上述のステップＳ１１１において、ファインダ表示制御部１３４は、ＬＥＤ６８が透過型表示パネル４２の照明を終了するタイミングで、透過型表示パネル４２の表示状態を第１表示状態に戻したが、これに限らない。ファインダ表示制御部１３４は、ＬＥＤ６８が透過型表示パネル４２の照明を終了してから予め定められた期間、例えば３秒間経過したタイミング等の予め定められたタイミングで、透過型表示パネル４２の表示状態を第１表示状態に戻してもよい。また、ファインダ表示制御部１３４は、ステップＳ１１３の撮影処理が完了したタイミングで、透過型表示パネル４２の表示状態を第１表示状態に戻してもよい。
【００８３】
なお、上述のフローはＤＸサイズが撮像範囲として選択された場合の処理を示すが、ＦＸサイズが撮像範囲として選択された場合には、ファインダ表示制御部１３４は、図４（ａ）に示すとおり、外部領域または外周枠領域の表示は行わない。そして、ファインダ表示制御部１３４は、ＳＷ１がオンになり、かつカメラシステム制御部５５のＡＦ制御によって合焦された焦点検出領域が決定された場合に、焦点検出領域に対応する表示領域をオンにする。そして、カメラシステム制御部５５は、ＬＥＤ６８による照明を実行し、焦点検出領域を発光させる。
【００８４】
上述の実施形態において、ファインダ表示制御部１３４は、コンティニュアスＡＦ制御が実行される場合に、透過型表示パネル４２の表示状態を第２表示状態に固定したが、これに限らない。ファインダ表示制御部１３４は、コンティニュアスＡＦ制御が実行される場合に、透過型表示パネル４２の表示状態を第１表示状態に固定するとともにＬＥＤ６８による照明を禁止してもよい。
【００８５】
上記の実施形態において、ＦＸサイズおよびＤＸサイズのうちから撮像範囲を選択するがこれに限らない。ユーザが撮像素子５２の有効画素領域における任意の画素範囲を上述の撮像範囲として指定できるようにしてもよい。例えば、カメラシステム制御部５５は、上述の撮像範囲として、ＦＸサイズの有効撮影範囲に対するトリミング範囲を、ユーザから操作検知部１３５を介して受け付ける。また、例えば、カメラシステム制御部５５は、ＦＸサイズのアスペクト比３：２（横：縦）と異なるアスペクト比を、ユーザから操作検知部１３５を介して受け付け、当該アスペクト比に対応する撮像範囲を決定する。
【００８６】
上述の実施形態において、ファインダ表示制御部１３４は、ＬＥＤ６８が透過型表示パネル４２を照明していない場合に、透過型表示パネル４２の表示状態を、有効撮影範囲の外部領域における被写体光学像の透過率が低下するように外部領域を第１領域として表示する第１表示状態にした。そして、ファインダ表示制御部１３４は、ＬＥＤ６８が透過型表示パネル４２を照明する場合に、透過型表示パネル４２の表示状態を、第１表示状態から、外部領域の一部であって有効撮影範囲の外周を含む外周枠領域における被写体光学像の透過率が低下するように外周枠領域を第２領域として表示する第２表示状態へ変更した。しかしながら、第１表示状態および第２表示状態の表示態様はこれに限らない。
【００８７】
ファインダ表示制御部１３４は、第１表示状態として、有効撮影範囲の外部領域の少なくとも一部である第１領域における被写体光学像の透過率が低下するように第１領域を表示し、第２表示状態として、外部領域の一部であって第１領域より面積の小さい第２領域における被写体光学像の透過率が低下するように第２領域を表示してもよい。このように第１表示状態および第２表示状態の表示態様を構成すれば、ユーザは、ＬＥＤ６８による照明が行われている場合でも行われていない場合でも、合焦領域および撮影可能範囲を容易に確認することができる。第１表示状態および第２表示状態の表示態様の変形例について以下説明する。
【００８８】
図８は、透過型表示パネルの表示制御処理の第３変形例を説明する図である。第３変形例では、ユーザがＦＸサイズのアスペクト比３：２より縦長のアスペクト比１：１を指定した場合の表示制御処理を示す。なお、アスペクト比に対応する撮像範囲は、予め規定められており、アスペクト比に対応する撮像範囲の情報は、カメラメモリ１３１に記録されている。
【００８９】
図８（ａ）は、第３変形例において、ＬＥＤ６８による照明が行われていない場合のファインダ窓４５から観察される被写体光学像の表示例である。すなわち、図８（ａ）は、第３変形例の第１表示状態における表示例である。ファインダ表示制御部１３４は、上述の実施形態と同様に、ＡＦ制御によって合焦された領域を示す焦点検出領域２０１に対応する表示領域をオンにする。また、ファインダ表示制御部１３４は、アスペクト比１：１における被写体光学像の範囲である有効撮影範囲５０１の外部領域５０２全体に対応する表示領域をオンにする。すなわち、ファインダ表示制御部１３４は、外部領域５０２全体を第１領域として表示する。
【００９０】
図８（ａ）に示すように、有効撮影範囲５０１の中心は、ＦＸサイズの有効撮影範囲の中心、すなわちファインダ窓４５から観察される被写体光学像の範囲の中心と同一に規定されている。そして、有効撮影範囲５０１の縦方向の幅すなわち図の上下方向の幅は、ＦＸサイズの有効撮影範囲の縦方向の幅、すなわちファインダ窓４５から観察される被写体光学像の範囲の縦方向の幅と同一に規定されている。そのため、外部領域５０２は、横方向すなわち図の左右方向において、有効撮影範囲５０１を挟んで対向する一対の領域として形成される。
【００９１】
図８（ｂ）は、第３変形例において、ＬＥＤ６８による照明が行われる場合のファインダ窓４５から観察される被写体光学像の表示例である。すなわち、図８（ｂ）は、第３変形例の第２表示状態における表示例である。ファインダ表示制御部１３４は、外部領域５０２の全体の代わりに外部領域５０２の一部であって有効撮影範囲５０１の一対の辺を含む辺領域５０３に対応する表示領域をオンにする。すなわち、ファインダ表示制御部１３４は、辺領域５０３を第２領域として表示する。なお、カメラシステム制御部５５のＡＦ制御が完了後において、ファインダ表示制御部１３４は、表示状態が切り替わっても、ＡＦ制御によって合焦された領域を示す焦点検出領域２０１の表示を継続する。
【００９２】
辺領域５０３における被写体光学像の透過率は低下し、辺領域５０３は、有効撮影範囲５０１における被写体光学像より暗く視認される。一方、外部領域５０２のうち辺領域５０３以外の他領域５０４に対応する表示領域はオフにされる。そのため、他領域５０４における被写体光学像の透過率は有効撮影範囲５０１における被写体光学像の透過率と同等である。ＬＥＤ６８による照明の有無で透過型表示パネル４２の表示状態を変更することにより、ユーザはどちらの状況であっても合焦領域および撮影可能範囲を容易に確認することができる。
【００９３】
図９は、透過型表示パネルの表示制御処理の第４変形例を説明する図である。第４変形例では、ユーザがＦＸサイズのアスペクト比３：２より横長のアスペクト比１６：９を指定した場合の表示制御処理を示す。なお、第３変形例と同様に、アスペクト比に対応する撮像範囲は、予め規定められており、アスペクト比に対応する撮像範囲の情報は、カメラメモリ１３１に記録されている。
【００９４】
図９（ａ）は、第４変形例において、ＬＥＤ６８による照明が行われていない場合のファインダ窓４５から観察される被写体光学像の表示例である。すなわち、図９（ａ）は、第４変形例の第１表示状態における表示例である。ファインダ表示制御部１３４は、上述の実施形態と同様に、ＡＦ制御によって合焦された領域を示す焦点検出領域２０１に対応する表示領域をオンにする。また、ファインダ表示制御部１３４は、アスペクト比１６：９における被写体光学像の範囲である有効撮影範囲６０１の外部領域６０２全体に対応する表示領域をオンにする。すなわち、ファインダ表示制御部１３４は、外部領域６０２全体を第１領域として表示する。
【００９５】
図９（ａ）に示すように、有効撮影範囲６０１の中心は、ＦＸサイズの有効撮影範囲の中心、すなわちファインダ窓４５から観察される被写体光学像の範囲の中心と同一に規定されている。そして、有効撮影範囲６０１の横方向の幅すなわち図の左右方向の幅は、ＦＸサイズの有効撮影範囲の横方向の幅、すなわちファインダ窓４５から観察される被写体光学像の範囲の横方向の幅と同一に規定されている。そのため、外部領域６０２は、縦方向すなわち図の上下方向において、有効撮影範囲６０１を挟んで対向する一対の領域として形成される。
【００９６】
図９（ｂ）は、第４変形例において、ＬＥＤ６８による照明が行われる場合のファインダ窓４５から観察される被写体光学像の表示例である。すなわち、図９（ｂ）は、第４変形例の第２表示状態における表示例である。ファインダ表示制御部１３４は、外部領域６０２の全体の代わりに外部領域６０２の一部であって有効撮影範囲６０１の一対の辺を含む辺領域６０３に対応する表示領域をオンにする。すなわち、ファインダ表示制御部１３４は、辺領域６０３を第２領域として表示する。なお、カメラシステム制御部５５のＡＦ制御が完了後において、ファインダ表示制御部１３４は、表示状態が切り替わっても、ＡＦ制御によって合焦された領域を示す焦点検出領域２０１の表示を継続する。
【００９７】
辺領域６０３における被写体光学像の透過率は低下し、辺領域６０３は、有効撮影範囲６０１における被写体光学像より暗く視認される。一方、外部領域６０２のうち辺領域６０３以外の他領域６０４に対応する表示領域はオフにされる。そのため、他領域６０４における被写体光学像の透過率は有効撮影範囲６０１における被写体光学像の透過率と同等である。ＬＥＤ６８による照明の有無で透過型表示パネル４２の表示状態を変更することにより、ユーザはどちらの状況であっても合焦領域および撮影可能範囲を容易に確認することができる。
【００９８】
次に、第２表示状態の他の表示態様について説明する。図１０は、第２表示状態の表示態様の変形例を説明する図である。なお、第１表示状態は、図４（ｂ）を用いて説明した表示状態、すなわち焦点検出領域２０１と有効撮影範囲２０２の外部領域２０３全体とに対応する表示領域をオンにした状態とする。
【００９９】
図１０（ａ）は、第２表示状態の表示態様の第１変形例である。ＬＥＤ６８による照明が行われる場合、ファインダ表示制御部１３４は、外部領域２０３の全体の代わりに外部領域２０３の一部であって有効撮影範囲２０２の外周の４つの角を含む角領域７０１に対応する表示領域をオンにする。すなわち、ファインダ表示制御部１３４は、角領域７０１を第２領域として表示する。なお、カメラシステム制御部５５のＡＦ制御が完了後において、ファインダ表示制御部１３４は、表示状態が切り替わっても、ＡＦ制御によって合焦された領域を示す焦点検出領域２０１の表示を継続する。
【０１００】
角領域７０１における被写体光学像の透過率は低下し、角領域７０１は、有効撮影範囲２０２における被写体光学像より暗く視認される。一方、外部領域２０３のうち角領域７０１以外の他領域７０２に対応する表示領域はオフにされる。そのため、他領域７０２における被写体光学像の透過率は有効撮影範囲２０２における被写体光学像の透過率と同等である。なお、図４を用いて説明した外周枠領域は、角領域を含んで構成される。
【０１０１】
上述の例では、有効撮影範囲２０２の外周のすべての角に対応する角領域が用いられたが、これに限らない。有効撮影範囲２０２のすべての角の中から、ユーザが有効撮影範囲２０２を視認できるように予め定められた複数の角をそれぞれ含む複数の角領域が用いられてもよい。例えば、ファインダ表示制御部１３４は、有効撮影範囲２０２の外周の１つの対角線上に位置する２つの角をそれぞれ含む２つの角領域７０１に対応する表示領域をオンにする。
【０１０２】
また、複数の角領域７０１の代わりに若しくは複数の角領域７０１とともに、外部領域の一部であって有効撮影範囲２０２の外周を構成する辺の一部を含む部分辺領域が用いられてもよい。部分辺領域は、例えば有効撮影範囲２０２の外周を構成する一対の辺のそれぞれに対応して設けられる。また、部分辺領域は、有効撮影範囲２０２の外周を構成する各辺に対して設けられてもよい。
【０１０３】
図１０（ｂ）は、第２表示状態の表示態様の第２変形例である。ＬＥＤ６８による照明が行われる場合、ファインダ表示制御部１３４は、外部領域２０３の全体の代わりに、外部領域２０３の全体に表示された複数の線８０１に対応する表示領域をオンにする。すなわち、ファインダ表示制御部１３４は、外部領域２０３の全体を複数の線８０１で表示することで複数の線８０１を第２領域として表示する。複数の線８０１は、有効撮影範囲２０２を取り囲むように配置される。なお、カメラシステム制御部５５のＡＦ制御が完了後において、ファインダ表示制御部１３４は、表示状態が切り替わっても、ＡＦ制御によって合焦された領域を示す焦点検出領域２０１の表示を継続する。
【０１０４】
複数の線８０１における被写体光学像の透過率は低下し、複数の線８０１は、有効撮影範囲２０２における被写体光学像より暗く視認される。一方、外部領域２０３のうち複数の線８０１以外の他領域８０２に対応する表示領域はオフにされる。そのため、他領域８０２における被写体光学像の透過率は有効撮影範囲２０２における被写体光学像の透過率と同等である。
【０１０５】
なお、上述の例では、ファインダ表示制御部１３４は、外部領域２０３の全体を複数の線８０１で表示したが、外部領域２０３の一部を複数の線８０１で表示してもよい。例えば、ファインダ表示制御部１３４は、図４（ｃ）を用いて説明した外周枠領域２０４を複数の線８０１で表示する。外部領域が図８を用いて説明した外部領域５０２の場合には、ファインダ表示制御部１３４は、図８（ｂ）を用いて説明した辺領域５０３を複数の線８０１で表示してもよい。外部領域が図９を用いて説明した外部領域６０２の場合には、ファインダ表示制御部１３４は、図９（ｂ）を用いて説明した辺領域６０３を複数の線８０１で表示してもよい。
【０１０６】
また、ファインダ表示制御部１３４は、上述した複数の線の代わりに、外部領域２０３の全体または一部に表示された複数のドットに対応する表示領域をオンにしてもよい。すなわち、ファインダ表示制御部１３４は、外部領域２０３の全体または一部を複数のドットで表示することで複数のドットを第２領域として表示してもよい。例えば、複数のドットは、有効撮影範囲２０２を取り囲むように配置される。
【０１０７】
上述の実施形態において、外部領域全体に対応する表示領域をオンにした状態が第１表示状態として用いられたが、これに限らない。外部領域の一部に対応する表示領域をオンにした状態が、第１表示状態として用いられてもよい。
【０１０８】
図１１は、透過型表示パネルの表示制御処理の第５変形例を説明する図である。第５変形例では、外部領域が図４を用いて説明した外部領域２０３の場合に、外部領域２０３の一部であって有効撮影範囲２０２の外周を含む第１外周枠領域に対応する表示領域をオンにした状態が、第１表示状態として用いられる。そして、外部領域２０３の一部であって有効撮影範囲２０２の外周を含み、かつ第１外周枠領域より面積の小さい第２外周枠領域に対応する表示領域をオンにした状態が、第２表示状態として用いられる。
【０１０９】
図１１（ａ）は、第５変形例において、ＬＥＤ６８による照明が行われていない場合のファインダ窓４５から観察される被写体光学像の表示例である。すなわち、図１１（ａ）は、第５変形例の第１表示状態における表示例である。ファインダ表示制御部１３４は、上述の実施形態と同様に、ＡＦ制御によって合焦された領域を示す焦点検出領域２０１に対応する表示領域をオンにする。また、ファインダ表示制御部１３４は、外部領域２０３の一部であって有効撮影範囲２０２の外周を含む第１外周枠領域９０１に対応する表示領域をオンにする。すなわち、ファインダ表示制御部１３４は、第１外周枠領域９０１を第１領域として表示する。
【０１１０】
第１外周枠領域９０１における被写体光学像の透過率は低下し、第１外周枠領域９０１は、有効撮影範囲２０２における被写体光学像より暗く視認される。一方、外部領域２０３のうち第１外周枠領域９０１以外の第１枠外領域９０２に対応する表示領域はオフにされる。そのため、第１枠外領域９０２における被写体光学像の透過率は有効撮影範囲２０２における被写体光学像の透過率と同等である。
【０１１１】
図１１（ｂ）は、第５変形例において、ＬＥＤ６８による照明が行われる場合のファインダ窓４５から観察される被写体光学像の表示例である。すなわち、図１１（ｂ）は、第５変形例の第２表示状態における表示例である。ファインダ表示制御部１３４は、第１外周枠領域９０１の代わりに、外部領域２０３の一部であって有効撮影範囲２０２の外周を含み、かつ第１外周枠領域９０１より面積の小さい第２外周枠領域９０３に対応する表示領域をオンにする。すなわち、ファインダ表示制御部１３４は、第２外周枠領域を第２領域として表示する。なお、カメラシステム制御部５５のＡＦ制御が完了後において、ファインダ表示制御部１３４は、表示状態が切り替わっても、ＡＦ制御によって合焦された領域を示す焦点検出領域２０１の表示を継続する。
【０１１２】
第２外周枠領域９０３における被写体光学像の透過率は低下し、第２外周枠領域９０３は、有効撮影範囲２０２における被写体光学像より暗く視認される。一方、外部領域２０３のうち第２外周枠領域９０３以外の第２枠外領域９０４に対応する表示領域はオフにされる。そのため、第２枠外領域９０４における被写体光学像の透過率は有効撮影範囲２０２における被写体光学像の透過率と同等である。ＬＥＤ６８による照明の有無で透過型表示パネル４２の表示状態を変更することにより、ユーザはどちらの状況であっても合焦領域および撮影可能範囲を容易に確認することができる。なお、第１外周枠領域９０１が外部領域２０３の全体で構成すれば、当該構成は図４を用いて説明した形態に対応する。
【０１１３】
図１２は、透過型表示パネルの表示制御処理の第６変形例を説明する図である。第６変形例では、外部領域が図８を用いて説明した外部領域５０２の場合に、外部領域５０２の一部であって有効撮影範囲５０１の一対の辺を含む第１辺領域に対応する表示領域をオンにした状態が、第１表示状態として用いられる。そして、外部領域５０２の一部であって有効撮影範囲５０１の一対の辺を含み、かつ第１辺領域より面積の小さい第２辺領域に対応する表示領域をオンにした状態が、第２表示状態として用いられる。
【０１１４】
図１２（ａ）は、第６変形例において、ＬＥＤ６８による照明が行われていない場合のファインダ窓４５から観察される被写体光学像の表示例である。すなわち、図１２（ａ）は、第６変形例の第１表示状態における表示例である。ファインダ表示制御部１３４は、上述の実施形態と同様に、ＡＦ制御によって合焦された領域を示す焦点検出領域２０１に対応する表示領域をオンにする。また、ファインダ表示制御部１３４は、外部領域５０２の一部であって有効撮影範囲２０２の一対の辺を含む第１辺領域１００１に対応する表示領域をオンにする。すなわち、ファインダ表示制御部１３４は、第１辺領域１００１を第１領域として表示する。
【０１１５】
第１辺領域１００１における被写体光学像の透過率は低下し、第１辺領域１００１は、有効撮影範囲５０１における被写体光学像より暗く視認される。一方、外部領域５０２のうち第１辺領域１００１以外の第１他領域１００２に対応する表示領域はオフにされる。そのため、第１他領域１００２における被写体光学像の透過率は有効撮影範囲５０１における被写体光学像の透過率と同等である。
【０１１６】
図１２（ｂ）は、第６変形例において、ＬＥＤ６８による照明が行われる場合のファインダ窓４５から観察される被写体光学像の表示例である。すなわち、図１２（ｂ）は、第６変形例の第２表示状態における表示例である。ファインダ表示制御部１３４は、第１辺領域１００１の代わりに、外部領域５０２の一部であって有効撮影範囲５０１の外周を含み、かつ第１辺領域１００１より面積の小さい第２辺領域１００３に対応する表示領域をオンにする。すなわち、ファインダ表示制御部１３４は、第２辺領域１００３を第２領域として表示する。なお、カメラシステム制御部５５のＡＦ制御が完了後において、ファインダ表示制御部１３４は、表示状態が切り替わっても、ＡＦ制御によって合焦された領域を示す焦点検出領域２０１の表示を継続する。
【０１１７】
第２辺領域１００３における被写体光学像の透過率は低下し、第２辺領域１００３は、有効撮影範囲５０１における被写体光学像より暗く視認される。一方、外部領域５０２のうち第２辺領域１００３以外の第２他領域１００４に対応する表示領域はオフにされる。そのため、第２他領域１００４における被写体光学像の透過率は有効撮影範囲５０１における被写体光学像の透過率と同等である。ＬＥＤ６８による照明の有無で透過型表示パネル４２の表示状態を変更することにより、ユーザはどちらの状況であっても合焦領域および撮影可能範囲を容易に確認することができる。なお、第１辺領域１００１が外部領域５０２の全体で構成すれば、当該構成は図８を用いて説明した形態に対応する。
【０１１８】
同様に、外部領域が図９を用いて説明した外部領域６０２の場合には、外部領域６０２の一部であって有効撮影範囲６０１の一対の辺を含む第１辺領域に対応する表示領域をオンにした状態が、第１表示状態として用いられてもよい。ＬＥＤ６８による照明が行われない場合、ファインダ表示制御部１３４は、第１辺領域に対応する表示領域をオンにする。そして、ＬＥＤ６８による照明が行われる場合、ファインダ表示制御部１３４は、透過型表示パネル４２の状態を、第１表示状態から、外部領域６０２の一部であって有効撮影範囲６０１の一対の辺を含みかつ第１辺領域より面積の小さい第２辺領域に対応する表示領域をオンにした第２表示状態へ変更する。なお、第１辺領域が外部領域６０２の全体で構成すれば、当該構成は図９を用いて説明した形態に対応する。
【０１１９】
上述の実施形態において、第１表示状態および第２表示状態の表示態様は予め規定されているが、ユーザが第１表示状態および第２表示状態の表示態様を指定できるようにしてもよい。例えば、背面表示制御部１３３は、第１表示状態および第２表示状態の表示態様の設定画面を背面表示部５６に表示させ、カメラシステム制御部５５は、ユーザの指定を、操作検知部１３５を介して受け付ける。
【０１２０】
上述の実施形態において、光学式のファインダユニット４０が用いられたが、電子ビューファインダユニットに対しても本実施形態に係る概念を適用することができる。具体的には、電子ビューファインダユニットの液晶モニタ等の表示装置とファインダ窓との間に、表示装置に表示された被写体像に重畳して情報を表示する透過型表示パネルが設けられる。また、ＬＥＤと、透過型表示パネルの側面へＬＥＤの照明光を入射させるライトガイドが設けられる。透過型表示パネル、ＬＥＤおよびライトガイドは、上述した透過型表示パネル４２、ＬＥＤ６８およびライトガイド６７と同様の機能を果たす。そして、ファインダ表示制御部が、上述したように、ＬＥＤによる照明の有無に応じて透過型表示パネルの表示状態を制御する。
【０１２１】
上述の実施形態において、撮像装置として一眼レフカメラ１０全体を例に説明したが、カメラ本体３０を撮像装置として捉えてもよい。上述の実施形態において、撮像装置としてレンズ交換式カメラを例に説明したが、レンズ光学系が一体的に構成されたレンズ一体型カメラに対しても本実施形態に係る概念を適用することができる。
【０１２２】
以上、本発明を実施の形態を用いて説明したが、本発明の技術的範囲は上記の実施形態に記載の範囲には限定されない。上記の実施形態に、多様な変更または改良を加えることが可能であることが当業者に明らかである。その様な変更または改良を加えた形態も本発明の技術的範囲に含まれ得ることが、特許請求の範囲の記載から明らかである。
【０１２３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１２４】
１０  一眼レフカメラ、１１  光軸、２０  レンズユニット、２１  レンズ群、２２  ズームレンズ、２３  フォーカスレンズ、２４  レンズマウント、３０  カメラ本体、３１  カメラマウント、３２  メインミラー、３３  回転軸、３４  サブミラー、３５  ＡＦ光学系、３６  ＡＦセンサ、４０  ファインダユニット、４１  ピント板、４２  透過型表示パネル、４３  ペンタプリズム、４４  接眼光学系、４５  ファインダ窓、４６  測光センサ、５１  フォーカルプレーンシャッタ、５２  撮像素子、５３  メイン基板、５４  画像処理部、５５  カメラシステム制御部、５６  背面表示部、５７  傾斜センサ、５８  二次電池、６１  ペンタボックス、６２  穴部、６３  入射開口部、６４  射出開口部、６５  閉塞板、６６  ペンタ基板、６７  ライトガイド、６８  ＬＥＤ、１２０  レンズシステム制御部、１２１  レンズメモリ、１２２  モータ駆動回路、１３１  カメラメモリ、１３２  ワークメモリ、１３３  背面表示制御部、１３４  ファインダ表示制御部、１３５  操作検知部、２０１  焦点検出領域、２０２  有効撮影範囲、２０３  外部領域、２０４  外周枠領域、２０５  枠外領域、３００  水準器インジケータ、４０１  第１焦点検出領域、４０２  第２焦点検出領域、４０３  第３焦点検出領域、４０４  第４焦点検出領域、４０５  第５焦点検出領域、５０１  有効撮影範囲、５０２  外部領域、５０３  辺領域、５０４  他領域、６０１  有効撮影範囲、６０２  外部領域、６０３  辺領域、６０４  他領域、７０１  角領域、７０２  他領域、８０１  線、８０２  他領域、９０１  第１外周枠領域、９０２  第１枠外領域、９０３  第２外周枠領域、９０４  第２枠外領域、１００１  第１辺領域、１００２  第１他領域、１００３  第２辺領域、１００４  第２他領域
【図１】
0005423836.tif 000002
【図２】
0005423836.tif 000003
【図３】
0005423836.tif 000004
【図４】
0005423836.tif 000005
【図５】
0005423836.tif 000006
【図６】
0005423836.tif 000007
【図７】
0005423836.tif 000008
【図８】
0005423836.tif 000009
【図９】
0005423836.tif 000010
【図１０】
0005423836.tif 000011
【図１１】
0005423836.tif 000012
【図１２】
0005423836.tif 000013